(57)【要約】【課題】中空柱形状のコンタクトを有するジャックであって、中空柱形状のコンタクトがハウジングに強固に保持され、中空柱形状のコンタクトの先端が容易に振れない構造を有すジャックを提供する。【解決手段】絶縁性のハウジング１は、相手側プラグ６５が挿入されるプラグ接続開口６１と、プラグ接続開口６１を開口とする第１の挿入室９と、コンタクト挿入室９に連通し、プラグ接続開口６１と対向する第１の開口１４と、を備える。中空柱形状のコンタクト３は、柱軸に沿って第１の開口１４から第１の挿入室に挿入される。円筒状のコンタクト本体３ａが第１の開口１４で保持されている。小径軸部６ａと、大径軸部６ｂと、一対のＬ字型舌片３ｂ１及び３ｂ２を押し広げる外径を有する頭部６ｃと、で構成される圧入ピン６が円筒状のコンタクト本体４ａ内に圧入される。【選択図】        図１６
2005222742.tif 000002
【特許請求の範囲】
【請求項１】
絶縁性のハウジングは、相手側プラグが挿入されるプラグ接続開口と、当該プラグ接続開口を開口とするコンタクト挿入室と、当該コンタクト挿入室に連通しており前記プラグ接続開口と対向するコンタクト挿入開口と、を備えており、
導電性であり中空柱形状のコンタクトは、柱軸に沿って前記コンタクト挿入開口から前記コンタクト挿入室に挿入されており、
前記中空柱形状のコンタクトにおける円筒状のコンタクト本体が前記ハウジングに備えられた前記コンタクト挿入開口で保持されているジャックであって、
前記円筒状のコンタクト本体内に圧入ピンが圧入されることを特徴とするジャック。
【請求項２】
前記中空柱形状のコンタクトは、専用のリード線と圧着部において圧着により接続された中空であって柱形状をしているコンタクトであって、
当該中空柱形状のコンタクトは、前記圧着部に向かう中空柱形状の基底部近傍に一対のＬ字型舌片を有しており、
前記中空柱形状コンタクトを柱軸に沿って挿入させる前記コンタクト挿入開口は、
当該コンタクト挿入開口の近傍に前記一対のＬ字型舌片に係合して前記中空柱形状のコンタクトの柱軸を中心とする回転を抑制する第１の係止部と、
前記中空柱形状のコンタクトを前記コンタクト挿入開口へ挿入の際に前記一対のＬ字型舌片に当接して当該中空柱形状のコンタクトを所定の位置に止める第２の係止部と、を含み、
前記中空柱形状のコンタクトは、前記圧着部に向かう前記中空柱形状のコンタクトの基底部近傍に柱接続基底部及び係合基底部を更に有しており、
前記ハウジングにおける前記コンタクト挿入開口は、前記係合基底部を係止して前記中空柱形状のコンタクトが前記ハウジングからの脱落防止用の第３の係止部を更に含み、
前記圧入ピンは、前記円筒状のコンタクト本体の内径より小さい外径を有する小径軸部と、前記円筒状のコンタクト本体の内径と「中間ばめ」のはめあいとなる外径を有する大径軸部と、当該大径軸部の外径より大きい外径であり、前記一対のＬ字型舌片を押し広げる外径を有する頭部と、でそれぞれの軸中心が同一なるように構成されており、
前記円筒状のコンタクト本体内に前記圧入ピンが圧入されることを特徴とする請求項１記載のジャック。
【請求項３】
前記圧入ピンは導電良好な硬質金属で成形されていることを特徴とする請求項１又は２のいずれかに記載のジャック。
【発明の詳細な説明】
【技術分野】
【０００１】
本発明は、ノートパソコン等の携帯型電子機器に使用される電気的な信号やエネルギを伝達するジャックに関し、特にジャックに用いられるハウジングやコンタクト等の構造に関する。
【背景技術】
【０００２】
携帯用電子機器は直流で動作されるものが多く、ＡＣアダプタによって家庭用の交流電源の電圧をステップダウンさせると同時に直流に変換して携帯用電子機器の電源としている。多くのＡＣアダプタはプラグ付きケーブルが用いられており、このプラグが携帯用電子機器に備えられる直流用の電源ジャックに挿入されて電気的に接続され、携帯用電子機器に直流電源が供給される。
【０００３】
このような電源ジャックの例としては、ジャックは、中空柱形状のコンタクトとＪ字型のコンタクトとを備えており、これら両コンタクトと専用のリード線との電気的接合を圧着により行い、この両圧着部を機械的な変形にさらされにくいジャックのハウジング内に配置し、更に、ジャックから延出する両リードによってもこの両圧着部に機械的な力が働きにくい構造としたジャックが発明されている（例えば、特許文献１参照）。
【０００４】
前述の特許文献１によるジャックは、組み付け時又は使用時に機械的な変形を受けても接触不良を起こしにくいことを特徴としている。
【特許文献１】特開２００３−３３２０００号公報
【発明の開示】
【発明が解決しようとする課題】
【０００５】
図１７は、特許文献１の発明によるジャックの縦断面図である。図１７（ａ）に示されるように、絶縁性のハウジング１は、相手側プラグが挿入される円形のプラグ接続開口６１を備えている。そして、ハウジング１は、プラグ接続開口６１を開口とするコンタクト挿入室９を備えている。更に、ハウジング１は、コンタクト挿入室９に連通しており、プラグ接続開口６１と対向するコンタクト挿入開口１４を備えている。
【０００６】
図１７（ａ）において、導電性であり中空柱形状のコンタクト３は、柱軸に沿ってコンタクト挿入開口１４からコンタクト挿入室９に挿入されている。中空柱形状のコンタクト３における円筒状のコンタクト本体３ａの根元部分は、ハウジング１に備えられたコンタクト挿入開口１４で保持されている。
【０００７】
図１７（ａ）において、中空柱形状のコンタクト３は、図示されない専用のリード線と圧着部３ｃにおいて圧着により接続された中空であって柱形状をしている。中空柱形状のコンタクト３は、圧着部３ｃに向かう中空柱形状の基底部近傍に一対のＬ字型舌片３ｂ１及び３ｂ２を有している。なお、図１７（ａ）において、対向する一対のＬ字型舌片３ｂ１及び３ｂ２の内、Ｌ字型舌片３ｂ１はＬ字型舌片３ｂ２に遮られて見えないものとなっている。
【０００８】
一方、図１７（ａ）において、一対のＬ字型舌片３ｂ１及び３ｂ２に係合して中空柱形状のコンタクト３の柱軸を中心とする回転を抑制する第１の係止部が、コンタクト挿入開口１４の近傍に設けられている。前記第１の係止部は、ランス１８の両側壁を含んでよく、ランス１８の両側壁を一方の内壁とする一対のスリットを含んでよい。
【０００９】
更に、前記一対のスリットは段差が形成されており、この段差が、中空柱形状のコンタクト３をハウジング１の所定の位置に止める第２の係止部となっている。中空柱形状のコンタクト３をコンタクト挿入開口１４へ挿入の際に、一対のＬ字型舌片３ｂ１及び３ｂ２が前記段差に当接して中空柱形状のコンタクト３を所定の位置に止める。
【００１０】
又、図１７（ａ）において、中空柱形状のコンタクト３は、圧着部３ｃに向かう中空柱形状のコンタクト３の基底部近傍に柱接続基底部及び係合基底部を更に有している。そして、ハウジング１におけるコンタクト挿入開口１４は、前記係合基底部を係止して中空柱形状のコンタクト３がハウジング１からの脱落防止用の第３の係止部となるランス１８に形成される鼻先部１８ａを更に含んでいる。
【００１１】
この係合基底部は、ハウジング１の第３の係止部となる鼻先部１８ａと係合し、中空柱形状のコンタクト３が挿入方向と逆向きに動くことを制限している。そして、ランス１８は、中空柱形状のコンタクト３がハウジング１から落下することを防ぐと共に、ランス１８は、中空柱形状のコンタクト３が相手側プラグと係合するときに、中空柱形状のコンタクト３が押し込まれるのを防止している。
【００１２】
しかしながら、中空柱形状のコンタクト３は、ランス１８（より具体的には、鼻先部１８ａ）によって円周方向の一部分のみが係止されているので、図１７（ｂ）に示されるように、コンタクト３におけるコンタクト本体３ａは、ランス１８を支点に揺動するものとなっている。
【００１３】
コンタクト本体３ａは、コンタクト挿入開口１４に緩やかに挿入されている。すなわち、ランス１８を傾動することによりコンタクト３をハウジング１から取り外しやくしている。こうしたことから、コンタクト本体３ａの先端は、いわゆる、振れが発生しやすくなっている。
【００１４】
図１７（ｃ）は、図１７（ａ）の断面と直交する断面での縦断面図である。図１７（ｃ）に示されるように、ハウジング１はＪ字型のコンタクト４を内装している。そしてＪ字型のコンタクト４に設けられた弾性可動接触子４ｅは、プラグ６５における挿入端子の外周に弾性接触している。
【００１５】
図１７（ｂ）、又は図１７（ｃ）に示されるように、円筒状のコンタクト本体３ａが傾いていると、ユーザーに好ましい印象を与えない。更に、図１７（ｃ）の断面図に示されるように、プラグ６５の挿入が容易ではなく、プラグ６５に押されて、コンタクト３がランス１８から外れてしまうことにもなりかねない。
【００１６】
本発明は、上述した課題を解決すべく、中空柱形状のコンタクトを有するジャックであって、中空柱形状のコンタクトがハウジングにしっかりと保持されており、中空柱形状のコンタクトの先端が容易に振れない構造を有するジャックを提供することを目的とする。
【課題を解決するための手段】
【００１７】
発明者は、前記目的を満たすため、円筒状のコンタクト本体内に圧入ピンを圧入する構造とし、以下のような新たなジャックを発明した。
【００１８】
（１）  絶縁性のハウジングは、相手側プラグが挿入されるプラグ接続開口と、当該プラグ接続開口を開口とするコンタクト挿入室と、当該コンタクト挿入室に連通しており前記プラグ接続開口と対向するコンタクト挿入開口と、を備えており、導電性であり中空柱形状のコンタクトは、柱軸に沿って前記コンタクト挿入開口から前記コンタクト挿入室に挿入されており、前記ハウジングに備えられた前記コンタクト挿入開口における円筒状のコンタクト本体が前記ハウジングに備えられた前記コンタクト挿入開口で保持されているジャックであって、前記円筒状のコンタクト本体内に圧入ピンが圧入されることを特徴とするジャック。
【００１９】
（２）  前記中空柱形状のコンタクトは、専用のリード線と圧着部において圧着により接続された中空であって柱形状をしているコンタクトであって、当該中空柱形状のコンタクトは、前記圧着部に向かう中空柱形状の基底部近傍に一対のＬ字型舌片を有しており、前記中空柱形状コンタクトを柱軸に沿って挿入させる前記コンタクト挿入開口は、当該コンタクト挿入開口の近傍に前記一対のＬ字型舌片に係合して前記中空柱形状のコンタクトの柱軸を中心とする回転を抑制する第１の係止部と、前記中空柱形状のコンタクトを前記コンタクト挿入開口へ挿入の際に前記一対のＬ字型舌片に当接して当該中空柱形状のコンタクトを所定の位置に止める第２の係止部と、を含み、前記中空柱形状のコンタクトは、前記圧着部に向かう前記中空柱形状のコンタクトの基底部近傍に柱接続基底部及び係合基底部を更に有しており、前記ハウジングにおける前記コンタクト挿入開口は、前記係合基底部を係止して前記中空柱形状のコンタクトが前記ハウジングからの脱落防止用の第３の係止部を更に含み、前記圧入ピンは、前記円筒状のコンタクト本体の内径より小さい外径を有する小径軸部と、前記円筒状のコンタクト本体の内径と「中間ばめ」のはめあいとなる外径を有する大径軸部と、当該大径軸部の外径より大きい外径であり、前記一対のＬ字型舌片を押し広げる外径を有する頭部と、でそれぞれの軸中心が同一なるように構成されており、前記円筒状のコンタクト本体内に前記圧入ピンが圧入されること特徴とする（１）記載のジャック。
【００２０】
（３）  前記圧入ピンは導電良好な硬質金属で成形されていることを特徴とする（１）又は（２）のいずれかに記載のジャック。
【００２１】
（１）記載の発明によれば、「絶縁性のハウジングは、相手側プラグが挿入されるプラグ接続開口と、当該プラグ接続開口を開口とするコンタクト挿入室と、当該コンタクト挿入室に連通しており前記プラグ接続開口と対向するコンタクト挿入開口と、を備えており、導電性であり中空柱形状のコンタクトは、柱軸に沿って前記コンタクト挿入開口から前記コンタクト挿入室に挿入されており、前記中空柱形状のコンタクトにおける円筒状のコンタクト本体が前記ハウジングに備えられた前記コンタクト挿入開口で保持されているジャックであって、前記円筒状のコンタクト本体内に圧入ピンが圧入される」ことを特徴としてよい。
【００２２】
プラグ接続開口は、ハウジング外部より相手側プラグが挿入される開口であってよく、相手側プラグが挿入されるための面積又は外形を有していればよい。又、プラグ接続開口は、相手側プラグが挿入されるときにのみ開く開口であってもよく、例えば、ヒンジで結合された扉で開口が密閉され、相手側プラグが挿入されるのと連動して前記扉が開く機構を備えた開口を含んでよい。
【００２３】
プラグ接続開口は、相手側プラグの挿入端子に適合する形状であってよく、円形であってもよく、正四角形を含む矩形であってもよい。プラグ接続開口が円形の場合は、コンタクト挿入室は円柱状の空間となり、プラグ接続開口が矩形の場合は、コンタクト挿入室は直方体状の空間となる。
【００２４】
コンタクト挿入室は、コンタクトを保持又は収納する場所を含む空間であって、ハウジング内に形成されるものを含んでよい。コンタクトはその一部が、コンタクト挿入室に挿入、保持、収納等により配置されてよい。
【００２５】
コンタクト挿入室に連通するコンタクト挿入開口は、コンタクトが挿入できる断面形状を有している。コンタクト挿入開口を開口とするコンタクト挿入室は、コンタクトを部分的に保持する幅（厚さ）を有する空間であって、ハウジング内に形成されるものを含んでよい。円筒状のコンタクト本体を保持するコンタクト挿入開口を開口とするコンタクト挿入室は、好適には円柱状の空間であって、コンタクト挿入開口にランスが突出し、又、スリットが連通してもよい。
【００２６】
ハウジングに備えられたコンタクト挿入開口で保持される中空柱形状のコンタクトは、ハウジングから取り外しを容易とするため、比較的緩く保持されている。この発明は、円筒状のコンタクト本体内に圧入ピンを圧入することにより、中空柱形状のコンタクトがハウジングに強固に保持され、中空柱形状のコンタクトの先端が容易に振れないとするものである。そして、この中空柱形状のコンタクトがハウジングからの取り外しを容易とすることを排除しないものである。
【００２７】
（２）記載の発明によれば、「（１）記載のジャックにおいて、前記中空柱形状のコンタクトは、専用のリード線と圧着部において圧着により接続された中空であって柱形状をしているコンタクトであって、当該中空柱形状のコンタクトは、前記圧着部に向かう中空柱形状の基底部近傍に一対のＬ字型舌片を有しており、前記中空柱形状コンタクトを柱軸に沿って挿入させる前記コンタクト挿入開口は、当該コンタクト挿入開口の近傍に前記一対のＬ字型舌片に係合して前記中空柱形状のコンタクトの柱軸を中心とする回転を抑制する第１の係止部と、前記中空柱形状のコンタクトを前記コンタクト挿入開口へ挿入の際に前記一対のＬ字型舌片に当接して当該中空柱形状のコンタクトを所定の位置に止める第２の係止部と、を含み、前記中空柱形状のコンタクトは、前記圧着部に向かう前記中空柱形状のコンタクトの基底部近傍に柱接続基底部及び係合基底部を更に有しており、前記ハウジングにおける前記コンタクト挿入開口は、前記係合基底部を係止して前記中空柱形状のコンタクトが前記ハウジングからの脱落防止用の第３の係止部を更に含み、前記圧入ピンは、前記円筒状のコンタクト本体の内径より小さい外径を有する小径軸部と、前記円筒状のコンタクト本体の内径と「中間ばめ」のはめあいとなる外径を有する大径軸部と、当該大径軸部の外径より大きい外径であり、前記一対のＬ字型舌片を押し広げる外径を有する頭部と、でそれぞれの軸中心が同一なるように構成されており、前記円筒状のコンタクト本体内に前記圧入ピンが圧入される」ことを特徴としてよい。
【００２８】
専用のリード線とは、このジャックが取り付けられる電気機器に内装される電源回路に接続されて、電源用の電力を伝えるリード線であってよい。リード線は導電性の芯材に絶縁性の被膜材が覆われた電線である。リード線は単線であってよく、２本以上の複線であってもよい。
【００２９】
圧着により接続するというのは、一般に圧着端子において端子の部材の一部をリード線等の心材を包み込むようにして折り曲げてその芯材を固定する圧着部を設けて、この固定により電気的（ときに、及び機械的）に接続することであってよい。いわゆる、コンダクタグリップが設けられてよい。又、リード線をその被覆材の上から包み込むようにして折り曲げてリード線を機械的に固定することを含んでいてよい。いわゆる、インシュレーショングリップが設けられてよい。
【００３０】
中空柱形状のコンタクトは、例えば、板材をプレス等により折り曲げて筒状にしたもののように、柱の中が空洞になった形状を含む形態をとることができる。このとき、基底部には開口が形成されている。基底部とは、柱状形状の端近傍で、圧着部に近い方をいってよい。基底部の反対側の先端部は、基底部と異なり、閉じており、接続相手のプラグとの係合性が向上し、又、見栄えが良くなるとも考えられる。
【００３１】
Ｌ字型舌片は、中空柱形状のコンタクトの基底部近傍に配置され、柱軸に対して略直角に延びている舌片を含んでよい。挿入室は、中空柱形状コンタクトを挿入できる形状をしており、柱軸方向に挿入する形状をしている。
【００３２】
柱接続基底部とは、中空柱形状のコンタクトにおいて中空の柱形状をした円筒部分の基底側の部分であって、前記円筒部分の部材から連続して延びた部分をいってよい。この部分は、前記一対のＬ字型舌片に挟まれるような位置にあってよい。
【００３３】
また、係合基底部とは、前記中空柱形状のコンタクトにおいて中空の柱形状をした円筒部分の基底側の端又は辺であって、前記円筒部分を底面から見上げた図において、前記柱接続基底部の対面側に配置される。
【００３４】
この係合基底部は、ハウジングにおける第３の係止部と係合し、中空柱形状のコンタクトの挿入方向と逆向きの動きを制限し、中空柱形状のコンタクトの落下を防ぐと供に、当該コンタクトがプラグと係合するときに、中空柱形状のコンタクトが押し込まれるのを防ぐことができると考えられる。
【００３５】
前記第３の係止部とは、ハウジングが有する突起物であって、その弾性的性質により、中空柱形状コンタクトが挿入中は柱部分の外壁により第３の係止部は後退させられているが、一旦中空柱形状コンタクトの挿入が完了し、前記係合基底部が一旦前記第３の係止部を通り過ぎると、第３の係止部が前記係合基底部に係合すべく該コンタクトの挿入経路に顔を出すことになってよい。これら係合基底部やや第３の係止部は、例えば、ランスと呼ばれることがある。
【００３６】
圧入ピンは、円筒状のコンタクト本体の内径より小さい外径を有する小径軸部を備えている。この圧入ピンが円筒状のコンタクト本体内に圧入された状態において、小径軸部は、円筒状のコンタクト本体の内部に間隙を有するものである。このようにコンタクト本体内に、間隙を有することによって、プラグが嵌合してときにコンタクト本体が圧縮可能となるばかりか、放熱効果をもたせられると考えられる。
【００３７】
圧入ピンは、円筒状のコンタクト本体の内径と「中間ばめ」のはめあいとなる外径を有する大径軸部を備えている。この圧入ピンが円筒状のコンタクト本体内に圧入された状態において、大径軸部は円筒状のコンタクト本体の内部に密着するように保持されている。
【００３８】
そして、この圧入ピンにおける大径軸部の部位は、円筒状のコンタクト本体がハウジングに備えられたコンタクト挿入開口で保持されている部位に対応している。薄肉円筒で保持されていた円筒状のコンタクト本体の根元分に大径軸部が挿入されることにより、中心軸方向の圧縮に耐えられる剛体軸となる。
【００３９】
更に、圧入ピンは、大径軸部の外径より大きい外径であり、一対のＬ字型舌片を押し広げる外径を有する頭部を備えている。この圧入ピンが円筒状のコンタクト本体内に圧入された状態において、この頭部は一対のＬ字型舌片を押し広げて、一対のＬ字型舌片を変形させる。そして、変形された一対のＬ字型舌片が両翼の壁に当接して、コンタクト本体の根元分を強固に保持する。
【００４０】
このように、中空柱形状のコンタクトをハウジングに強固に保持し、中空柱形状のコンタクトにおける先端の振れを解消する圧入ピンは、例えば、銅合金等の導電良好な硬質金属で組成されており、鍛造又は転造等で成形されてよい。
【発明の効果】
【００４１】
本発明のジャックは、中空柱形状のコンタクトを有するジャックであって、円筒状のコンタクト本体内に圧入ピンが圧入されているので、円筒状のコンタクト本体がハウジングに強固に保持され、中空柱形状のコンタクト先端が振れることがない。そして、視認される円筒状のコンタクト本体の姿勢が安定しているのでユーザーに安心感を与え、接続不良の要因を取り除くことができる。
【発明を実施するための最良の形態】
【００４２】
以下、図面を参照して本発明を実施するための最良の形態を説明する。
【００４３】
なお、実施の形態においては、本発明によるジャックは、中空柱形状のコンタクトとＪ字型のコンタクトとを備えているので、中空柱形状のコンタクトが挿入されるコンタクト挿入室を「第１の挿入室」とし、Ｊ字型のコンタクトが挿入されるコンタクト挿入室を「第２の挿入室」として区別して説明する。
【００４４】
又、「第１の挿入室」の開口となるコンタクト挿入開口を「第１の開口」とし、「第２の挿入室」の開口となるコンタクト挿入開口を「第２の開口」として区別して説明する。
【００４５】
まず、簡単に本実施例の構造機能を説明し、その後に、各図についてより詳しく説明する。なお、従来技術として示された図１７で使用された符号は、同じものとして以下に説明する。
【００４６】
図１３はハウジングの断面図であり、後述する図１１のＢ−Ｂ矢視断面図である。図１３に示されるように、ハウジング１の内部は、隔壁５の上側にコンタクト挿入開口７が配置してある。又、ハウジング１の内部は、隔壁８によって２種類のコンタクト挿入室９及び１０に仕切られている。
【００４７】
一方、図９はハウジングを裏側から見た斜視図である。図９に示されるように、隔壁１１によって、圧着部収納部１２及び１３の２つに仕切られている。図１３に戻り、隔壁５にはコンタクト挿入孔用の第１の開口１４と第２の開口１５が形成され、それぞれ、第１の挿入室９と第２の挿入室１０に連通されている。
【００４８】
又、図１４の実施形態に示されるように、第１の挿入室９と第２の挿入室１０は、隔壁８のプラグ接続開口６１によって連通させてある。ハウジング１の裏面１ｂ（図９参照）には、全体を臨むようにしてコンタクト挿入開口７が形成されている。
【００４９】
図１１は図９の平面図である。図１１に示すように、第１の開口１４の周りには、隔壁５と一体に形成されたランス１８が配設されている。このランス１８の両側には、一対のスリット１９１及び１９２が配設され、一対のスリット１９１及び１９２の途中にそれぞれ段差２０１及び２０２が形成されている。
【００５０】
図２は、本発明の実施例であるジャックの組立手順（中空柱形状のコンタクトの挿入）を示す斜視図である。図２に示されるように、第１の開口１４に挿入される中空柱形状のコンタクト３は、板材のプレス加工によって成形されている。
【００５１】
図２に示される中空柱形状のコンタクト３は、円筒状のコンタクト本体３ａを備えている。更に、中空柱形状のコンタクト３は、コンタクト本体３ａの基底部近傍に設けた一対のＬ字型舌片３ｂ１及び３ｂ２を備え、リード線５１と接続すべくコンタクト本体３ａの基底部から延出させた第１の圧着部３ｃを備えている。
【００５２】
図２に示されるように、コンタクト本体３ａを、一対のＬ字型舌片３ｂ１及び３ｂ２と一対のスリット１９１及び１９２（図１３参照）の向きを合わせて第１の開口１４に挿入すると、一対のＬ字型舌片３ｂ１及び３ｂ２が一対の段差２０１及び２０２（図１３参照）に当接して、コンタクト本体３ａのコンタクト挿入室９（図１３参照）への進入が阻止される。
【００５３】
更に、図２に示されるランス１８がコンタクト本体３ａの係合基底部に係合して、コンタクト本体３ａの後退も阻止され、コンタクト本体３ａが所定位置に保持される。そして、一対のＬ字型舌片３ｂ１及び３ｂ２が一対のスリット１９１及び１９２（図１３参照）に挟まれるため、コンタクト本体３ａの回転も阻止される。
【００５４】
図１４はハウジングの断面図であり、後述する図１１のＣ−Ｃ矢視断面図である。図１４に示されるように、第２の開口１５は断面矩形に形成されている。第２の開口１５に形成される隔壁８側の両隅には一対のガイド溝２５１及び２５２が表裏方向に形成されている。
【００５５】
図１３に戻り、第２の挿入室１０における背面の開口１６（図１４参照）と対向する箇所には小片（又はランス）２６が配設されている。この小片２６は、図１３に示すようにハウジング１の窓２７の周縁から、断面への字形の薄肉部を延出させて形成されている。
【００５６】
図１０はＪ字型のコンタクトの斜視外観図である。Ｊ字型のコンタクト４は板材のプレス加工によって成形されており、コンタクト本体４ａと、コンタクト本体４ａの基端部から略直角に延出させたリード線５２との接続のための圧着部４ｂとから構成されている。
【００５７】
図１０に示されるＪ字型のコンタクト４は、Ｊ字型のコンタクト本体４ａを備えている。コンタクト本体４ａは、略矩形の矩形背面板４ｃと、矩形背面板４ｃの両側縁から折り曲げて延出する一対のガイド板４ｄ１及び４ｄ２とで構成されている。更に、コンタクト本体４ａは、矩形背面板４ｃの下側の屈曲部において折り返す弾性可動接触子４ｅと、矩形背面板４ｃの中央部に設けた楔隆起部（又はランス）４ｆとを備えている。
【００５８】
なお、図１０に示されるように、弾性可動接触子４ｅ先端における延長部材の両端を、一対のガイド板４ｄ１及び４ｄ２に形成された開口４ｇ１及び４ｇ２に係合させることにより、プラグの挿抜にともなう弾性可動接触子４ｅの変動ストロークを規制できる。
【００５９】
図１は、本発明の実施例であるジャックの組立手順（Ｊ字型のコンタクトの挿入）を示す斜視図である。図１に示されるように、Ｊ字型のコンタクト４をハウジング１に組み付ける場合には、一対のガイド板４ｄ１及び４ｄ２をガイド溝２５１及び２５２に係合させてコンタクト本体４ａを第２の開口１５に挿入する。
【００６０】
図１０に示される一対のガイド板４ｄ１及び４ｄ１の先端（先端エッジに相当）が第２の挿入室１０（図１３参照）の底部内壁１０ａに当接すると、コンタクト本体４ａの更なる進入が阻止されると供に、ランス２６（図１３参照）がランス４ｆに係合して、コンタクト本体４ａの後退が阻止される。
【００６１】
これによって、図１０に示されるコンタクト本体４ａが第２の挿入室１０（図１３参照）の所定位置に保持されることになる。このとき、弾性可動接触子４ｅが隔壁８の開口１６（図１４参照）から正極側のコンタクト挿入室９（図１３参照）内に突出する。
【００６２】
図９に示されるように、ハウジング１には、コンタクト挿入開口７の両側縁に沿ってガイド溝３６が一対形成されている。更に、隔壁１１の上面に突設したストッパー３７にもガイド溝３６が一対形成されている。隔壁５（図１１参照）の上面には、隔壁８に連なる隆起部３８が形成されると供に、この隆起部３８の先端に隣接して凹部３９が形成されている。又、圧着部収納部１２及び１３に連通したリード線挿通部４０及び４１が形成されている。
【００６３】
図５は、本発明の実施例であるジャックの組立手順（カバーの係合）を示す斜視図である。図５に示されるように、ハウジング１に形成されたコンタクト挿入開口７は、両側縁にスライド突起４３がそれぞれ形成されているカバー４２により閉塞される。このスライド突起４３は、カバー４２の前端に設けたスリット４４の対向面にも形成されている。
【００６４】
図８は、図５のカバーを裏側から見た斜視外観図である。図８に示されるように、スリット４４の両側にはそれぞれの圧着部収納部と連通するリード線挿通部に対応する位置に干渉回避用の凹部４５及び４６がカバー４２の裏側に形成されている。更に、カバー４２の後端にもスリット４７が形成されると供に、このスリット４７の両側に楔状隆起部４８と隆起部４９がカバー４２の裏側に配設されている。
【００６５】
図５に示されるように、カバー４２をハウジング１に装着する場合には、スライド突起４３をガイド溝３６に係合させて、図中矢印方向にカバー４２をスライドさせる。カバー４２の前端がストッパー３７まで達すると、スリット４４のスライド突起４３がストッパー３７のガイド溝３６に係合する。
【００６６】
その後、楔状隆起部４８の斜面が隆起部３８に乗り上げて、楔状隆起部の垂直面４８ｂ（図８参照）が隆起部３８（図１参照）に係合し、スリット４４がストッパー３７に当接し、カバー４２のスライドがストッパー３７と隆起部３８（図１参照）によって阻止されることになる。
【００６７】
次に、この電源ジャックの組立方法について説明する。予め、２種類のコンタクト３及び４におけるそれぞれの圧着部３ｃ及び４ｂをかしめてリード線５１及び５２を接続しておく。
【００６８】
図１は、本発明の実施例であるジャックの組立手順（コンタクトの挿入）を示す斜視図である。まず、図１に示すようにＪ字型のコンタクト４のコンタクト本体４ａを第２の開口１５を通して第２の挿入室１０（図１３参照）に挿入及び固定することで、圧着部４ｂを圧着部収納部１３に収納し、リード線５２をリード線挿通部４１からハウジング１の外に取り出す。
【００６９】
図２は、本発明の実施例であるジャックの組立手順（中空柱形状のコンタクトの挿入）を示す斜視図である。次に、図２に示すように、円筒状のコンタクト本体３ａを第１の開口１４を通して第１の挿入室９（図１３参照）に保持する。
【００７０】
図３は、本発明の実施例であるジャックの組立手順（コンタクト基底部近傍の曲げ加工）を示す斜視図である。図３に示すように折り曲げて圧着部３ｃを圧着部収納部１２に収納することで、リード線５１をリード線挿通部４０からハウジング１の外に取り出す。
【００７１】
図４は、本発明の実施例であるジャックの組立手順（圧着部の収納）を示す斜視図である。図４に示されるように、円筒状のコンタクト本体３ａ（図２参照）に圧入ピン６が圧入され、コンタクト３がハウジング１にしっかり保持される。図５は、本発明の実施例であるジャックの組立手順（カバーの係合）を示す斜視図であり、最後に、図５に示すようにハウジング１のコンタクト挿入開口７にカバー４２を装着する。
【００７２】
以下各図面について説明しつつ、本実施例を詳説する。
【００７３】
図１は、本実施例のジャックのハウジング１に、弾性可動接触子を有する断面形状がＪ字型となるコンタクト（「Ｊ字型コンタクト」）４をハウジング１の裏面１ｂに配置される内部に挿入するための開口（コンタクト挿入開口）に挿入しようとする様子を示している。
【００７４】
ハウジング１は、全体として矩形の箱のような形状をしており、図中右上に見える裏面１ｂと、この裏面１ｂの４つの辺に接する４つの側面と、図１では左下向きで見えないが、図７において下向きに見えている表面１ａで囲まれている。４つの側面のうち、図１の手前に見えている第１の側面には、略中央部に窓２７が設けられ、その中には、肉薄になった小片（又はランス）２６が配置されている。
【００７５】
この第１の側面の隣にある図中下向きの第２の側面には、ハウジング１の裏面１ｂ側にこの第２の側面から突出した矩形の隆起部６０が形成され、隆起部６０の第２の側面側に２つの略矩形の開口が設けられている。
【００７６】
これら２つの略矩形の開口は、リード線挿通開口４０ａ及び４１ａであり、それぞれの開口に通じるリード線挿通部４０及び４１が隆起部６０の中に設けられている。
【００７７】
これらのリード線挿通部４０及び４１は、ハウジング１の裏面方向に開口しており、前記隆起部を前記第２の側面側から見た場合、Ｗ字形状若しくは横倒しＥ字形状をしている。このＥ字形状をした部材の３つの開放先端部には、後に述べるカバー４２をスライドさせるガイド溝３６が、凹型に形成されている。
【００７８】
ガイド溝３６は、上述のガイド部材の一実施例であり、ハウジング１の裏面１ｂに略平行に形成されている。このガイド溝３６の上側の突起部１７は、ガイド溝３６を形づくる一方の壁を形成し、後に述べるカバー４２をガイド溝３６に沿ってスライドさせたときに、カバー４２がハウジング１から離れないように保持する機能を有する。
【００７９】
前記Ｅ字状に形成された３つの開放先端部における真中の先端部３７は、後に述べるカバー４２がスライドして、ハウジング１の裏面１ｂにある開口を閉塞する際に、ストッパーとして機能する。
【００８０】
ストッパーとしての先端部３７は、前記２つのリード線挿通部４０及び４１に通じるそれぞれの圧着部収納通路を隔離する隔壁１１の上に形成される。
【００８１】
図１において、リード線挿通開口４０ａからリード線挿通部４０と上っていくと、前記第１の圧着部である中空柱状のコンタクト３の圧着部３ｃ（図２参照）を収納する凹部、すなわち圧着部収納部（又は、第１圧着部収納通路）１２を経由して、中空柱状のコンタクト３の基底部から第１の圧着部へと延びる部材を収納する空間（又は部材延出部）へと、更に、中空柱状のコンタクト３を挿入する第１の開口１４へとつながっていく（図１２参照）。
【００８２】
第１圧着部収納通路１２及び部材延出部は、それらの底部を規定する隔壁５の裏面１ｂ側の隆起に伴い、その深さが浅くなってきている。
【００８３】
第１の開口１４には、柱挿入開口１４ａ（図１３参照）の周りに、前記部材延出部に対向する位置に第３の係止部の一実施例であるいわゆるランス１８が配置される。ランス１８は、図１において、ハウジング１の裏面１ｂ側を上にして立っている縦断面形状がト字状若しくは逆ト字状の形状をした部材で、横断面形状は矩形をしている。
【００８４】
ランス１８の両側には一対スリット１９１及び１９２（図１３参照）が設けられ、ランス１８がその下部でハウジング１に連続的につながっている部材の弾性を利用して、ランス１８は前後に傾動することができる。このような動きに必要な力を調節するように、ランス１８の背面にはスリット１８ｂ（図１２参照）が設けられ、連続的につながっている部材の断面積等が調整されている。
【００８５】
図１２に最もよく示されたスリット１８ｂは、その巾によりランス１８が後ろ（背面側）に押されたときに、ランス１８を移動させる自由度を与えることができる。このため、円柱状のコンタクト本体３ａ（図２参照）を柱挿入開口１４ａ（図１３参照）に挿入したときに、過大な抵抗を生じさせることなく、ランス１８によるロック機構を機能させることができる。
【００８６】
又、図１１に最もよく示されるように、ランス１８において「ト」の字の鼻先近傍には、柱挿入開口１４ａ（図１３参照）に合わせるように円弧状にややえぐられた部分があり、円筒状のコンタクト本体３ａ（図２参照）をスムーズに挿入できるようにしてある。
【００８７】
図１において、リード線挿通開口４０ａ及び４１ａは、反対側のハウジング１側面近傍には、隆起部３８が形成され、後に述べるカバー４２の楔状の隆起部４８との係合によるロック機構を構成している。
【００８８】
図１において、コンタクト挿入開口７（図５参照）に含まれる第２の開口１５は、その断面形状がＪ字状に見えるＪ字型のコンタクト４を第２の挿入室１０（図１３参照）に挿入できるように開いている。Ｊ字型のコンタクト４は、コンタクト本体４ａと、専用のリード線５２を保持する第２の圧着部４ｂと、から構成される。
【００８９】
コンタクト本体４ａは、後に詳細に説明するが、矩形背面板４ｃと、矩形背面板４ｃの両側に配置された一対のガイド板４ｄ１及び４ｄ２と、を含んでいる。矩形背面板４ｃには、その略中央に、上述の楔隆起部材の一実施例である楔型に隆起した部材（又はランス）４ｆがあり、小片２６と係合することができる。
【００９０】
図２は、本発明の実施例であるジャックの組立手順（中空柱形状のコンタクトの挿入）を示す斜視図である。図２において、本実施例のジャックのハウジング１に、図１に示されたＪ字型のコンタクト４をハウジング１の第２の挿入室１０（図１３参照）に挿入して所定の位置に固定した後、中空柱状のコンタクト３をコンタクト挿入口となる第１の開口１４からハウジング１内部に挿入する。
【００９１】
図２において、中空柱状のコンタクト３は、円筒状のコンタクト本体３ａと、一対のＬ字型舌片３ｂ１及び３ｂ２と、専用のリード線５１を圧着する第１の圧着部３ｃと、から構成される。第１の圧着部３ｃは、リード線５１を被覆材の上から圧着するインシュレーショングリップ３１ｃと、リード線５１の芯材を圧着するコンダクタグリップ３２ｃとを含んでよい。
【００９２】
そして、中空柱状のコンタクト３を第１の開口１４に挿入する前は、図２に示されるように、中空柱状のコンタクト３は、前記各部材が柱軸に沿って一直線に並んでいる。
【００９３】
中空柱状のコンタクト３の先端（矢印の挿入方向に対して）は、図中左下を向いているが、中空の円筒状のコンタクト本体３ａを板金から作成したのと同様の方法で閉鎖することができる。
【００９４】
コンタクト本体３ａの先端は、ジャックの規格や見栄えその他の理由で本実施例では球状にされている。図２からわかるように、中空柱状のコンタクト３は、ランス１８の両側スリット１９１及び１９２（図１１参照）にはめ込まれるように、一対のＬ字型舌片３ｂ１及び３ｂ２を図中左上向きにして、第１の開口１４を通して柱挿入開口１４ａ（図１３参照）に挿入される。
【００９５】
図３は、本発明の実施例であるジャックの組立手順（コンタクト基底部近傍の曲げ加工）を示す斜視図である。図３は、中空柱状のコンタクト３が第１の開口１４（図２参照）を通して柱挿入開口１４ａ（図１３参照）に挿入され所定の位置に固定された状態を示している。
【００９６】
図２に示された一対のＬ字型舌片３ｂ１及び３ｂ２の柱軸における先端側の端部（下向きＬ字形でたとえると、Ｌの横棒にあってＬの内角側の端部）は、一対のスリット１９１及び１９２の中にそれぞれ設けられた一対の段差２０１及び２０２（図１３参照）に当接し、一対のＬ字型舌片３ｂ１及び３ｂ２（図２参照）の更なる挿入進行を阻止する。これにより、中空柱状のコンタクト３の挿入進行が止められる。
【００９７】
ここで、一対の段差２０１及び２０２は、一対のスリット１９１及び１９２内に形成された平坦部であって、円筒状のコンタクト本体３ａに対して、一対のスリット１９１及び１９２の外側に設けられたものである（図１１及び１３参照）。又、このとき円筒状のコンタクト本体３ａによって外側に押されていたランス１８の鼻先部１８ａ（図１２参照）が、円筒状のコンタクト本体３ａの基底端部にある係合基底部を超えたために、その弾性反発力により柱挿入開口１４ａ（図１３参照）の内側に戻り、係合基底部と係合し、中空柱状のコンタクト３が脱落しないようにしている。
【００９８】
図１２に示されるランス１８の鼻先部である係止部（第３の係止部に含まれてよい）１８ａは、係合基底部との一箇所で係合しているが、柱挿入開口１４ａ（図１３参照）は、中空の円筒状のコンタクト本体３ａに対するクリアランスはあまり大きくないため、円筒状のコンタクト本体３ａを柱軸から傾けて前記係合を解消しようとすることは容易にはできない。即ち、柱挿入開口１４ａ（図１３参照）が円筒状のコンタクト本体３ａにおける図３中の右下向きの動きを制限する。
【００９９】
図３において、ハウジング１における第１の挿入室９（図１３参照）の所定位置に固定された中空柱状のコンタクト３は、図中矢印の向き（後述するカバー４２の閉塞スライド方向）に曲げられ、その第１の圧着部３ｃ（図２参照）を圧着部収納通路１２に、リード線５１を圧着側からリード線挿通開口４０ａへとリード線挿通部４０に収容するようにする。
【０１００】
図４は、本発明の実施例であるジャックの組立手順（圧着部の収納）を示す斜視図である。図４は、中空柱状のコンタクト３が曲げられハウジング１の凹部に収納された状態を示している。中空柱状のコンタクト３における前述の柱接続基底部に相当する部分は、第１の圧着部３ｃと円筒状のコンタクト本体３ａの基底部との間に位置する部分である。
【０１０１】
より具体的には、柱接続基底部は、図４に示されたリブ有り延出部３ｃ１及びリブなし延出部３ｃ２である。リブ有り延出部３ｃ１は、リブがある分だけ、曲げに対する抵抗が大きく、圧着部収納通路１２に略真直ぐな状態で収納される。
【０１０２】
一方、リブなし延出部３ｃ２は、リブがなく又、隔壁５の角部（図１２参照）近傍にあるため、曲がりやすくなっている。このため、曲げ部が必要以上に広がり、大きく湾曲するためにハウジング１の凹部に収納しきれないことを防ぐことができる。なお、隔壁５の角部は、鋭角的になっており、曲げにおけるスプリングバックを考慮したものとなっている。
【０１０３】
図４において、第１の開口１４（図２参照）に挿入された円筒状のコンタクト本体３ａ（図２参照）内に、圧入ピン６が圧入される。圧入ピン６は、小径軸部６ａと大径軸部６ｂと頭部６ｃで構成されている。なお、圧入ピン６の作用は後に詳細に説明する。
【０１０４】
図５は、本発明の実施例であるジャックの組立手順（カバーの係合）を示す斜視図である。図５において、Ｊ字型のコンタクト４（図１参照）及び中空柱状のコンタクト３（図２参照）がハウジング１に挿入され、前記それぞれのコンタクトの圧着部４ｂ及び３ｃ等がハウジング１の裏面１ｂ側の凹部にそれぞれ収納された後に、カバー４２をスライドさせて、裏面１ｂの開口７を閉塞する。
【０１０５】
図５に示されるように、カバー４２は、略矩形をした板状のものであるが、図中の矢印に現されたスライド方向に対して、カバー４２の先端側に、スリット４４を所定の長さでスライド方向に対して略平行にして備えている。
【０１０６】
図５において、スリット４４を規定する両端部には、カバー４２の両側面にあるのと同じスライド突起４３が設けられている。スライド突起４３は、ハウジング１のガイド溝３６と嵌合され、ガイド溝３６に沿ってカバー４２をスライドさせることができる。
【０１０７】
カバー４２は、その後部にスリット４７を有し、薄肉部５０がその右横の表面に矢印を施した部位から独立して変形できるようにされている。薄肉部５０の裏面には楔状隆起部４８が形成されている。この楔状隆起部４８は、ハウジング１の隆起部３８と共にカバー４２のロック機構を構成する。
【０１０８】
まず、カバー４２の先端部の両側にあるスライド突起４３をハウジング１の両側辺にあるガイド溝３６にはめ込む、このとき、ガイド溝３６を形成する突起部１７は、スライド突起４３の上側（又は裏面側）に位置し、カバー４２の上側への動きを制限するため、カバー４２がコンタクト挿入開口７を閉塞すべくスライドするときにあっても、カバー４２がガイド溝３６から外れてカバー４２がハウジング１から脱離してしまわないようになっている。
【０１０９】
カバー４２の先端がそのスライド突起４３とガイド溝３６において係合した後は、カバー４２をなるべく矢印のスライド方向に真直ぐに押すようにする。カバー４２の先端がハウジング１のストッパー３７のスライド方向に対して最後部に到達したとき、カバー４２のスリット４４にあるスライド突起４３が、ストッパー３７にあるガイド溝３６と、の嵌合が始まり、両者の関係は、両側のスライド突起４３とガイド溝３６の関係と同様になる。
【０１１０】
但し、ストッパー３７にあるガイド溝３６を形成する突起部１７は、このリード線挿通部近傍に位置するようになるため、カバー４２の上方向の脱離がより生じにくくなる。
【０１１１】
図６は、本発明の実施例であるジャックの組立手順（組み立て完成）を示す斜視図である。図６において、リード線５１及び５２を図中で上方に引っ張った場合、カバー４２には、そのリード線挿通開口４０ａ及び４１ａ（図１参照）において上方に引っ張る力が働く。そのため、このようなストッパー３７にあるガイド溝３６（図５参照）等による補強構造は、大変好ましい。
【０１１２】
図５に戻ると、カバー４２のスライドがもう少し進むと、楔状隆起部４８の斜面４８ａ（図８参照）が、ハウジング１の隆起部３８（図１参照）に接触し始める。楔状隆起部４８の斜面４８ａは、先端から後尾に向かってなだらかに隆起が増してくる形状をもっているため、カバー４２のスライドには多少の抵抗増加がみられるが、急激な変化はなく、コンタクト挿入開口７を閉塞するまでスライドすることができる。このときの抵抗は、薄肉部５０の厚みや長さを調整することにより、最適な抵抗に調整することができる。
【０１１３】
カバー４２が閉塞されると、楔状隆起部４８は、ハウジング１の隆起部３８を乗り越え、前にある凹部に薄肉部５０の弾性反発力によりはまり込むことになる。これによって、カバー４２は後ろ向きにスライドして開口部を開くことを困難にする。楔状隆起部４８の垂直面４８ｂと隆起部３８が互いに切り立った面で当接しているためである。
【０１１４】
なお、ストッパー３７がスリット４４の最後部に当接し、カバー４２のスライド方向の進行を止めることになる。即ち、カバー４２は、ストッパー３７と隆起部３８に挟まれて、又、突起部１７とガイド溝３６に挟まれて、その動きが止められ、位置が固定されることとなる。
【０１１５】
図６は、以上のようにしてコンタクト挿入開口７が閉じられた状態を示している。このようにして完成したジャックは大変コンパクトな形状をしている。ハウジング１の表面側近傍にある側面を一周するように設けられた溝は、このジャックが使われる機器のフレームやボディに取り付けるために使用することができる。そのため、ジャックの電気的接続部に機械的な力を加えることがなく、ジャックを固定できる。
【０１１６】
図７は、図６のジャックを表側から見た斜視図である。図７は、この完成したジャックを下から見た様子を示している。ハウジング１の表面１ａの略中央に開いた丸い開口２は、ジャックに接続されるプラグ等の外部端子を挿入する穴である。開口２から、中空柱状のコンタクト３の先端部が見えている。又、Ｊ字型のコンタクト４の弾性可動接触子が開口２より見える。
【０１１７】
これら２つのコンタクトはそれぞれに正負又は正とアースのような関係で用いることができる。ちなみに、本実施例のジャックは、組み立て・分解がいつでも可能となっており、分解するときには各ロック機構を解除して上述とは逆の動きを各部品にさせればよいことになる。
【０１１８】
図８は、図５のカバーを裏側から見た斜視図である。図８は、カバー４２の裏側をより詳しく示したものである。カバー４２の先端には、スリット４４があり、スリット４４を規定するカバー４２の端部には、スライド突起４３がカバー４２の側端部のスライド突起４３と同様に形成されている。
【０１１９】
図８において、図中右側の凹部４６は、カバー４２でハウジング１を閉塞するとＪ字型のコンタクト４における第２の圧着部４ｂ（図１参照）や圧着されたリード線を収納する圧着部収納部とリード線挿通部の蓋部分に相当する。
【０１２０】
又、図８において、左側凹部４５は、中空柱状のコンタクト３における第１の圧着部３ｃ（図２参照）や圧着されたリード線を収納する圧着部収納部とリード線挿通部の蓋部分に相当する。
【０１２１】
このように、これらの凹部４５及び４６は、前記の収納空間をより大きくすることができる。カバー４２の後ろ側には、スリット４７があり、その右隣にカバー４２のロック機構の一部を構成する楔状隆起部４８、そのなだらかな斜面４８ａ、急に切り立った壁のような垂直面４８ｂを有している。
【０１２２】
スリット４７の左隣には、隆起部４９が配置され、この隆起部４９は、ランス１８の背面に当接若しくはかなり近くまで接近し、ランス１８が、中空柱形状のコンタクト３が外れる方向に可動するのを規制する。
【０１２３】
図９は、ハウジングを裏側から見た斜視図であり、ハウジング１の各部材を詳細に示したものである。図９において、ガイド溝３６は、ハウジング１の両側壁上部に突起部１７の下に設けられており、更に、手前面中央のストッパー３７の上部に設けられており、図８に示されたカバー４２の両側端面等にあるスライド突起４３と組み合わさって、スライド式のコンタクト挿入開口７の閉塞機構を構成する。
【０１２４】
コンタクト挿入開口７において、Ｊ字型のコンタクト４を挿入する第２の開口１５の手前には、Ｊ字型のコンタクト４における圧着部４ｂを収納する圧着部収納部１３があり、更に、その手前にリード線挿通部４１があり、手前面にある隆起部６０の手前面に向かって見た場合、Ｗ字形状若しくは倒しＥ字形状の側面図中、左側開口であるリード線挿通開口４１ａからは、Ｊ字型のコンタクト４に圧着により接続されたリード線５２（図１参照）が延出される。
【０１２５】
図９において、右隣の第１の開口１４は、中空柱形状のコンタクト３と圧着により接続されたリード線５１が延出されるリード線挿通開口４０ａを有し、この奥にリード線挿通部４０、更に奥に第１の圧着部収納部１２へと続いている。
【０１２６】
図９において、第１の圧着部３ｃと第２の圧着部４ｂを隔てる隔壁１１は、ストッパー３７をその上に有している。この隔壁１１は、ストッパー３７の上面とカバー４２の上面とが面一（ツライチ）の関係にあるため、隔壁内に開口がない隔壁１１は、両コンタクト３及び４を電気的に確実に隔離することができる。
【０１２７】
図１０は、Ｊ字型のコンタクトの斜視図である。次に、Ｊ字型のコンタクト４の構造について図１０を参照しつつ説明し、図１及び９を参照しつつ、Ｊ字型のコンタクト４を挿入する手順を説明する。上述のように、Ｊ字型のコンタクト４は、コンタクト本体４ａとリード線５２と圧着により接続する圧着部４ｂとから構成され、コンタクト本体４ａは、矩形背面板４ｃと、その両側に略直角に前方に曲げられた一対のガイド板４ｄ１及び４ｄ２と、Ｊ字の底にある下方屈曲部で生じる弾性力によって担保された接触圧を有することができる弾性可動接触子４ｅと、が矩形背面板４ｃの前側であって、両側のガイド板４ｄ１及び４ｄ２に囲まれるところに配置されている。
【０１２８】
この弾性可動接触子４ｅは、更に折り込まれた先端部分に両側のガイド板４ｄ１及び４ｄ２の開口４ｇ１及び４ｇ２にその両端を拘束される巾方向に延びた先端折込部材を有している。この開口４ｇ１及び４ｇ２によって巾方向に延びた先端折込部材の動きが制限されるため、弾性可動接触子４ｅは、その弾性変形量等が、この開口４ｇ１及び４ｇ２の大きさ以内に限られる。
【０１２９】
図１０において、矩形背面板４ｃの先端側（又は下方側）の両側には、切り込みが入っており、両側のガイド板４ｄ１及び４ｄ２と矩形背面板４ｃとの接続辺長さがやや狭くなっている。これは、前記下方屈曲部による弾性力を適宜調整するためであり、又、この両ガイド板４ｄ１及び４ｄ２の最先端にある部分（やや角が取れているが、矩形背面板４ｃに対して略直角をなしている先端エッジ）は、この下方屈曲部よりも下方若しくは先端に突出している。
【０１３０】
従って、このＪ字型のコンタクト４をその挿入方向に進めた場合、第２の挿入室１０（図１３参照）の底部形状が平坦であるので、この先端エッジが下方屈曲部よりも先にこの平坦な底部（「低部平坦面」）１０ａに当接することとなる。
【０１３１】
一方、図９において、ランス１８は、その鼻先部１８ａ（図１２参照）において前述のように挿入された中空柱形状のコンタクト３の係合基底部と係合し、中空柱形状のコンタクト３の脱落防止をすると共に、ジャックにプラグ等（図示せず）が接続されるとき、その押付け力に対抗する。
【０１３２】
図１２に示された鼻先部１８ａは、前述の第３の係止部として一実施例に含むことができる。図９に示された凹部２２には、カバー４２の下面にある隆起部４９（図８参照）が、カバー４２をスライドするとやってきて、ランス１８の背面向きの変形に対向するように機能する。
【０１３３】
図１１は図９の平面図であり、図１１に示された一対の段差２０１及び２０２は、一対のＬ字型舌片３ｂ１及び３ｂ２（図２参照）の先端に当接し、中空柱形状のコンタクト３の挿入進行を止める。突起部１７は、ガイド溝３６（図９参照）を形成し、カバー４２のスライド突起４３（図８参照）を上側から抑え、ハウジング１から離脱させない機能を有する。
【０１３４】
図１１は、ハウジング１をその裏面１ｂからみた平面図である。それぞれの構成物については、これまで説明してきた通りである。ハウジング１の内部構造をよりわかりやすく見るために、Ａ−Ａ矢視断面が図１２に、Ｂ−Ｂ矢視断面が図１３に、Ｃ−Ｃ矢視断面が図１４にそれぞれ示してある。
【０１３５】
なお、図１１において、第２の開口１５の先に見える円弧状のものは、ハウジング１の表面１ａに開いている開口２の縁である。図１２は、第１の開口１４をカバー４２のスライド方向に切った断面を第２の開口１５側に向かってみたものである。
【０１３６】
図１３において、第１の挿入室９は、この矩形の開口部分で第２の挿入室１０と連通しているが、中空柱形状のコンタクト３において円筒状のコンタクト本体３ａに対して比較的狭いクリアランスを有する柱挿入開口１４ａがその上に位置する。
【０１３７】
図１２において、ランス１８は、係合して円筒状のコンタクト本体３ａ（図２参照）上への動きを制限する鼻先部１８ａを有し、背後のスリット１８ｂ（図１２参照）によりその背後方向への変形抵抗を調整する。図１３は、柱挿入開口１４ａの中心を通って、カバー４２のスライド方向に対して垂直な断面をスライド方向について先端部から後尾側を見たものである。
【０１３８】
図１３において、コンタクト挿入開口７が両側突起部１７に挟まれた空間に位置されている。一対のＬ字型舌片３ｂ１及び３ｂ２（図２参照）と当接する一対の段差２０１及び２０２の位置が、高さにおいて明確にわかる。第１の挿入室９と第２の挿入室１０は、隔壁８がない部分（プラグ接続開口６１）において連通し、コンタクト３及び４をすべて挿入したジャックでは、連通する開口においてＪ字型のコンタクト４の弾性可動接触子４ｅが第１の挿入室に顔を出すことになる。それによって、円筒状のコンタクト本体３ａを内部に挿入したプラグの他の極がこの弾性可動接触子４ｅと接触し、電気エネルギ等を伝達することができる。
【０１３９】
図９において、ランス１８の鼻先部１８ａに半円形が描かれているのは、この部分を少し削ることにより、円筒状のコンタクト本体３ａ（図２参照）を挿入しやすくしたためである。図１４は、第２の挿入室をカバー４２のスライド方向に切った断面を第１の挿入室９側（図１３参照）に向かってみたものである。上述のようにプラグ接続開口６１が、隔壁８のないところに開いており、ジャックとしての機能を果たしている。
【０１４０】
図１５は、本発明の１つの実施例であるジャック６４をノートパソコン６２に適用した例を示す。このジャック６４は、ノートパソコン６２の電源ジャックである。プラグ接続用の開口から、中空柱形状のコンタクトの先端にその特徴的な模様である十字が見えている。このようなノートパソコンだけでなく、本発明のジャックはあらゆる電気機器に適用することができる。又、その適用範囲は電源だけでなく、電気信号を取り出したり、受け取ったりするあらゆる種類のジャックに応用することができる。
【０１４１】
次に、図４で示された圧入ピン６の作用を図１６により説明する。図１６は、本発明によるジャックの縦断面図である。そして、図１６（ａ）は、従来技術の図１７（ａ）に相当している。又、図１６（ａ）に示されたハウジング１は、図１２に示された断面図と同じものである。
【０１４２】
図１６（ａ）において、図４でも説明されたように、第１の開口１４（図２参照）に挿入された円筒状のコンタクト本体３ａ内に、圧入ピン６が圧入される。なお、図１６（ａ）においては、中空柱状のコンタクト３における圧着部３ｃにリード線５１（図２参照）が圧着される前の状態を示しているが、図４に示されるように圧着部３ｃにリード線５１が圧着されており、更にリブなし延出部３ｃ２が曲げられた状態で、圧入ピン６が圧入される。
【０１４３】
図１６（ａ）において、圧入ピン６は、円筒状のコンタクト本体３ａの内径より小さい外径を有する小径軸部６ａを備えている。又、圧入ピン６は、円筒状のコンタクト本体３ａの内径と「中間ばめ」のはめあいとなる外径を有する大径軸部６ｂを備えている。実施例において、大径軸部６ｂの基準直径は「２．３５」ｍｍであり、最小直径は「２．３４」ｍｍ、最大直径は「２．３６」ｍｍの公差内で製作される。一方、円筒状のコンタクト本体３ａの基準内径は「２．３５」ｍｍであり、最小内径は「２．３０」ｍｍ、最大内径は「２．３５」ｍｍの公差内で製作される。
【０１４４】
更に、大径軸部６ｂの外径より大きい外径であり、一対のＬ字型舌片３ｂ１及び３ｂ２を押し広げる外径を有する頭部６ｃを圧入ピン６は備えている。そして、小径軸部６ａと大径軸部６ｂと頭部６ｃとのそれぞれの軸中心が同一となるように構成されている。
【０１４５】
図１６（ｂ）は、図５に示されたように、円筒状のコンタクト本体３ａ内に、圧入ピン６が圧入された状態を示している。そして、図１６（ｂ）に示されたハウジング１は、図１３に示された断面図と同じものである。
【０１４６】
図１６（ｂ）に示された状態において、小径軸部６ａは、円筒状のコンタクト本体３ａの内部に間隙を有するものである。このようにコンタクト本体３ａ内に、間隙を有することによって、プラグが嵌合してときにコンタクト本体３ａが圧縮可能となるばかりか、放熱効果をもたせられると考えられる。
【０１４７】
図１６（ｂ）に示された状態において、大径軸部６ｂは円筒状のコンタクト本体３ａの内部に密着するように保持されている。そして、圧入ピン６における大径軸部６ｂの部位は、円筒状のコンタクト本体３ａがハウジング１に備えられた第１の開口１４で保持されている部位に対応している。薄肉円筒で保持されていた円筒状のコンタクト本体３ａの根元分に大径軸部６ｂが挿入されることにより、中心軸方向の圧縮に耐えられる剛体軸となる。
【０１４８】
図１６（ｂ）に示された状態において、頭部６ｃは、一対のＬ字型舌片３ｂ１及び３ｂ２を押し広げて、一対のＬ字型舌片３ｂ１及び３ｂ２を変形させる。そして、図５に最もよく示されるように変形された一対のＬ字型舌片３ｂ１及び３ｂ２が、両翼の壁に当接して、コンタクト本体３ａの根元分を強固に保持する。
【０１４９】
図１６に示される圧入ピン６は、中空柱形状のコンタクト３をハウジング１に強固に保持し、中空柱形状のコンタクト３における先端の振れを解消する。このような圧入ピン６は、例えば、銅合金等の導電良好な硬質金属で組成されており、鍛造又は転造等で成形されてよい。
【０１５０】
本発明のジャックは、中空柱形状のコンタクト３を有するジャックであって、円筒状のコンタクト本体３ａ内に圧入ピン６が圧入されているので、円筒状のコンタクト本体３ａがハウジング１に強固に保持され、中空柱形状のコンタクト３先端が振れることがない。そして、視認される円筒状のコンタクト本体の姿勢が安定しているのでユーザーに安心感を与え、接続不良の要因を取り除くことができる。
【０１５１】
このようなジャックは、図１６（ｃ）の断面図に示されるように、プラグ６５の挿入が容易であり、プラグ６５に押されて、コンタクト３がランス１８（図１６（ａ）参照）から外れてしまうことがなくなる。
【図面の簡単な説明】
【０１５２】
【図１】本発明の実施例であるジャックの組立手順（Ｊ字型のコンタクトの挿入）を示す斜視図である。
【図２】本発明の実施例であるジャックの組立手順（中空柱形状のコンタクトの挿入）を示す斜視図である。
【図３】本発明の実施例であるジャックの組立手順（コンタクト基底部近傍の曲げ加工）を示す斜視図である。
【図４】本発明の実施例であるジャックの組立手順（圧着部の収納）を示す斜視図である。
【図５】本発明の実施例であるジャックの組立手順（カバーの係合）を示す斜視図である。
【図６】本発明の実施例であるジャックの組立手順（組み立て完成）を示す斜視図である。
【図７】図６のジャックを表側から見た斜視図である。
【図８】図５のカバーを裏側から見た斜視図である。
【図９】ハウジングを裏側から見た斜視図である。
【図１０】Ｊ字型のコンタクトの斜視図である。
【図１１】図９の平面図である。
【図１２】図１１のＡ−Ａ矢視断面図である。
【図１３】図１１のＢ−Ｂ矢視断面図である。
【図１４】図１１のＣ−Ｃ矢視断面図である。
【図１５】本発明の１つの実施例であるジャックを適用した電気機器を示した斜視図である。
【図１６】本発明によるジャックの縦断面図である。
【図１７】従来技術によるジャックの縦断面図である。
【符号の説明】
【０１５３】
１    ハウジング
１ａ    表面
１ｂ    裏面
２    開口
３    コンタクト（中空柱形状のコンタクト）
３ａ    コンタクト本体（円筒状のコンタクト本体）
３ｂ１・３ｂ２    Ｌ字型舌片
３ｃ    圧着部（第１の圧着部）
３ｃ１    リブ有り延出部
３ｃ２    リブなし延出部
４    コンタクト（Ｊ字型のコンタクト）
４ａ    コンタクト本体
４ｂ    圧着部（第２の圧着部）
４ｃ    矩形背面板
４ｄ１・４ｄ２    ガイド板
４ｅ    弾性可動接触子
４ｆ    楔隆起部（ランス）
４ｇ１・４ｇ２    開口
５    隔壁
６    圧入ピン
６ａ  小径軸部
６ｂ  大径軸部
６ｃ  頭部（鍔部）
７    コンタクト挿入開口
８    隔壁
９    第１の挿入室（コンタクト挿入室）
１０    第２の挿入室（コンタクト挿入室）
１０ａ    底部平坦面
１１    隔壁
１２    圧着部収納部（第１圧着部収納通路）
１３    圧着部収納部（第１圧着部収納通路）
１４    第１の開口（コンタクト挿入開口）
１４ａ    柱挿入開口
１５    第２の開口（コンタクト挿入開口）
１６    開口
１７    突起部
１８    ランス
１８ａ    鼻先部
１８ｂ    スリット
２２    凹部
２５    ガイド溝
２６    ランス（小片）
２７    窓
３６    ガイド溝
３７    ストッパー（先端部）
３８    隆起部
３９    凹部
４０    リード線挿通部
４０ａ    リード線挿通開口
４１    リード線挿通部
４１ａ    リード線挿通開口
４２    カバー
４３    スライド突起
４４    スリット
４５    凹部
４６    凹部
４７    スリット
４８    楔状隆起部
４８ａ    斜面
４８ｂ    垂直面
４９    隆起部
５０    薄肉部
５１    リード線
５２    リード線
６０    隆起部
６１    プラグ接続開口
６２    ノートパソコン
６４    ジャック
６５    プラグ
１９１・１９２    スリット
２０１・２０２    段差
【図１】
2005222742.tif 000003
【図２】
2005222742.tif 000004
【図３】
2005222742.tif 000005
【図４】
2005222742.tif 000006
【図５】
2005222742.tif 000007
【図６】
2005222742.tif 000008
【図７】
2005222742.tif 000009
【図８】
2005222742.tif 000010
【図９】
2005222742.tif 000011
【図１０】
2005222742.tif 000012
【図１１】
2005222742.tif 000013
【図１２】
2005222742.tif 000014
【図１３】
2005222742.tif 000015
【図１４】
2005222742.tif 000016
【図１５】
2005222742.tif 000017
【図１６】
2005222742.tif 000018
【図１７】
2005222742.tif 000019